(57)【要約】    【課題】  操作子群の区別・認識を視覚的に容易にする。    【解決手段】  集中操作パネル部Ｐ２には、汎用操作子群ｓＺ、操作子群ｓ（Ｐ２）が基板３２を介して操作可能に固定され、選択操作子群ｓＳＬＣ（操作子ｓｗＡ〜ｓｗＩ）は、基板５０を介して中央操作パネル部Ｐ１−Ｍに対して押下操作可能に固定される。集中操作パネル部Ｐ２のパネル板３０の選択領域ｒＳＬＣに対応する部分には透孔群２０が設けられ、選択操作子群ｓＳＬＣは、パネル板４０の対応する透孔及びパネル板３０の透孔群２０のうち対応する透孔を貫通して上方に突出し、それらの上端が露出している。【選択図】      図１
2006254188.tif 000002
【特許請求の範囲】
【請求項１】
分割された複数の操作領域を有する第１操作パネル部と、
前記第１操作パネル部の上に配置された第２操作パネル部と、
前記第１操作パネル部に各々操作可能に固定された、特別操作子群を含む複数の操作子と、
前記第２操作パネル部に操作可能に固定された複数の操作子とを有し、
前記第２操作パネル部は、複数の透孔を有し、前記特別操作子群が、該複数の透孔を貫通して操作可能にされていることを特徴とする信号処理装置。
【請求項２】
前記特別操作子群の上端位置は、前記第２操作パネル部の上面と前記第１操作パネル部の上面との高さの差分だけ、前記第２操作パネル部の前記複数の操作子の上端位置より低いことを特徴とする請求項１記載の信号処理装置。
【請求項３】
前記第１操作パネル部における、前記特別操作子群と該特別操作子群以外の複数の操作子とは、その前記第１操作パネル部の上面からの突出高さが同一であることを特徴とする請求項１または２記載の信号処理装置。
【請求項４】
分割された複数の操作領域を有する第１操作パネル部と、
前記第１操作パネル部の上に配置された第２操作パネル部と、
前記第２操作パネル部に連接して設けられた第３操作パネル部と、
前記第１操作パネル部に各々操作可能に固定された、特別操作子群を含む複数の操作子と、
前記第２操作パネル部に操作可能に固定された複数の操作子とを有し、
前記第２操作パネル部と前記第３操作パネル部とを、前記第１操作パネル部から区別するための共通の視覚的処理が施され、
前記第２操作パネル部は、複数の透孔を有し、前記特別操作子群が、該複数の透孔を貫通して操作可能にされていることを特徴とする信号処理装置。
【請求項５】
分割された複数の操作領域を有する第１操作パネル部と、
前記第１操作パネル部の上に配置された第２操作パネル部と、
前記第２操作パネル部に連接して設けられた第３操作パネル部とを有し、
前記第２操作パネル部と前記第３操作パネル部とを、前記第１操作パネル部から区別するための共通の視覚的処理が施されていることを特徴とする信号処理装置。
【請求項６】
分割された複数の操作領域を有し、該複数の各操作領域に操作子群が設けられた全体操作パネル部と、
前記全体操作パネル部の一部の領域に配置された部分操作パネル部と、
前記部分操作パネル部に設けられ、前記全体操作パネル部の前記複数の各操作領域の操作子群に各々対応する操作子群を含んだ汎用操作子群と、
前記部分操作パネル部の特定領域に設けられ、前記全体操作パネル部の前記複数の操作領域のいずれかの操作領域の操作子群の機能を前記汎用操作子群に選択的に割り当てるための特定操作子群とを有し、
前記特定操作子群の各々の操作子の相互配置は、前記全体操作パネル部の前記複数の操作領域の各々の相互配置と対応しており、
前記全体操作パネル部と前記部分操作パネル部とを互いに区別するための視覚的処理が施され、且つ、前記部分操作パネル部の前記特定領域にのみ、前記全体操作パネル部と同一の視覚的処理が施されたことを特徴とする信号処理装置。
【発明の詳細な説明】
【技術分野】
【０００１】
本発明は、複数の操作パネル部を有するミキサ等の信号処理装置に関する。
【背景技術】
【０００２】
従来、下記特許文献１に示されるような、ミキシングコンソール等の信号処理装置が知られている。この種の信号処理装置においては、例えば、シーンメモリに登録されたチャンネル、これから構築しようとするチャンネル等、扱うチャンネル数は多数であるだけでなく、ミキシングの入力、出力を系統別に接続処理しなければならず、操作において、状態把握のしやすさ乃至良好な操作性が要求される。
【０００３】
セッティングを便利にするために、パネル操作部上において、例えば、中央等の所定領域にだけ、他の操作子群とは異なる汎用的な機能を有する汎用操作子群を配設することが考えられる。そして、例えば、ある操作子群の機能を上記汎用操作子群にそっくり割り当てることが考えられる。
【特許文献１】特開平８−５６０８１号公報
【発明の開示】
【発明が解決しようとする課題】
【０００４】
しかしながら、通常、パネル操作部には多数の操作子群が配設されているため、上記汎用操作子群をすばやく認識するのは容易でない。また、上記汎用操作子群に他の操作子群の機能を間違いなく迅速に割り当てるための操作子も、すばやく認識できるものであることが望まれる。
【０００５】
本発明は上記従来技術の問題を解決するためになされたものであり、その目的は、操作子群の区別・認識を視覚的に容易にすることができる信号処理装置を提供することにある。
【課題を解決するための手段】
【０００６】
上記目的を達成するために本発明の請求項１の信号処理装置は、分割された複数の操作領域（ｒＧ、ｒＨ）を有する第１操作パネル部（Ｐ１−Ｍ）と、前記第１操作パネル部の上に配置された第２操作パネル部（Ｐ２）と、前記第１操作パネル部に各々操作可能に固定された、特別操作子群（ｓＳＬＣ）を含む複数の操作子（ｓＳＬＣ、ｓＧ、ｓＨ）と、前記第２操作パネル部に操作可能に固定された複数の操作子（ｓ（Ｐ２）、ｓＺ）とを有し、前記第２操作パネル部は、複数の透孔（２０（２１〜２６））を有し、前記特別操作子群が、該複数の透孔を貫通して操作可能にされていることを特徴とする。
【０００７】
好ましくは、前記特別操作子群の上端位置は、前記第２操作パネル部の上面と前記第１操作パネル部の上面との高さの差分（ｔ）だけ、前記第２操作パネル部の前記複数の操作子の上端位置より低い（請求項２）。この構成によれば、特別操作子群を第２操作パネル部中の操作子群から一層明確に区別することができる。
【０００８】
さらに好ましくは、前記第１操作パネル部における、前記特別操作子群と該特別操作子群以外の複数の操作子（ｓＧ、ｓＨ）とは、その前記第１操作パネル部の上面からの突出高さ（ｈ１）が同一である（請求項３）。この構成によれば、特別操作子群が第２操作パネル部内に位置しながらも、第１操作パネル部に関連が強いことを意識させることができる。
【０００９】
上記目的を達成するために本発明の請求項４の信号処理装置は、分割された複数の操作領域（ｒＧ、ｒＨ）を有する第１操作パネル部（Ｐ１−Ｍ）と、前記第１操作パネル部の上に配置された第２操作パネル部と、前記第２操作パネル部に連接して設けられた第３操作パネル部（Ｐ３）と、前記第１操作パネル部に各々操作可能に固定された、特別操作子群（ｓＳＬＣ）を含む複数の操作子と、前記第２操作パネル部に操作可能に固定された複数の操作子とを有し、前記第２操作パネル部と前記第３操作パネル部とを、前記第１操作パネル部から区別するための共通の視覚的処理（色分け、２７、２８）が施され、前記第２操作パネル部は、複数の透孔を有し、前記特別操作子群が、該複数の透孔を貫通して操作可能にされていることを特徴とする。
【００１０】
上記目的を達成するために本発明の請求項５の信号処理装置は、分割された複数の操作領域（ｒＧ、ｒＨ）を有する第１操作パネル部（Ｐ１−Ｍ）と、前記第１操作パネル部の上に配置された第２操作パネル部と、前記第２操作パネル部に連接して設けられた第３操作パネル部とを有し、前記第２操作パネル部と前記第３操作パネル部とを、前記第１操作パネル部から区別するための共通の視覚的処理（色分け、２７、２８）が施されていることを特徴とする。
【００１１】
上記目的を達成するために本発明の請求項６の信号処理装置は、分割された複数の操作領域（ｒＡ〜ｒＨ）を有し、該複数の各操作領域に操作子群（ｓＡ〜ｓＨ）が設けられた全体操作パネル部（Ｐ１）と、前記全体操作パネル部の一部の領域に配置された部分操作パネル部（Ｐ２）と、前記部分操作パネル部に設けられ、前記全体操作パネル部の前記複数の各操作領域の操作子群に各々対応する操作子群を含んだ汎用操作子群（ｓＺ）と、前記部分操作パネル部の特定領域（ｒＳＬＣａ）に設けられ、前記全体操作パネル部の前記複数の操作領域のいずれかの操作領域の操作子群の機能を前記汎用操作子群に選択的に割り当てるための特定操作子群（ｓｗＡ〜ｓｗＨ）とを有し、前記特定操作子群の各々の操作子の相互配置は、前記全体操作パネル部の前記複数の操作領域の各々の相互配置と対応しており、前記全体操作パネル部と前記部分操作パネル部とを互いに区別するための視覚的処理（色分け、２７、２８）が施され、且つ、前記部分操作パネル部の前記特定領域にのみ、前記全体操作パネル部と同一の視覚的処理（色分け、ｈ１）が施されたことを特徴とする。
【００１２】
なお、上記括弧内の符号は例示である。
【発明の効果】
【００１３】
本発明の請求項１に係る信号処理装置によれば、第２操作パネル部において、特別操作子群を第２操作パネル部中の操作子群から容易に且つ明確に区別して認識させることができる。
【００１４】
本発明の請求項４に係る信号処理装置によれば、第２、第３操作パネル部を、互いに関連が深いものと認識させ、且つ第１操作パネル部に対して容易に且つ明確に区別して認識させることができる。また、第２操作パネル部において、特別操作子群を第２操作パネル部中の操作子群から容易に且つ明確に区別して認識させることができる。
【００１５】
本発明の請求項５に係る信号処理装置によれば、第２、第３操作パネル部を、互いに関連が深いものと認識させ、且つ第１操作パネル部に対して容易に且つ明確に区別して認識させることができる。
【００１６】
本発明の請求項６に係る信号処理装置によれば、部分操作パネル部を、全体操作パネル部に対して容易に且つ明確に区別して認識させることができると共に、特定操作子群と、全体操作パネル部の複数の各操作子群との対応関係を容易に認識させることができる。
【発明を実施するための最良の形態】
【００１７】
以下、本発明の実施の形態を図面を参照して説明する。
【００１８】
図１は、本発明の一実施の形態に係る信号処理装置の外観斜視図である。以降、本信号処理装置１の操作者側（図１の左手前側）を前方とし、左右については操作者を基準として呼称する。
【００１９】
図１に示すように、信号処理装置１は、入力される信号に対してミキシング、イコライジング等の種々の処理を行って出力するミキサ装置として構成され、その上面に、全体操作パネル部Ｐ１が設けられる。全体操作パネル部Ｐ１は、左側操作パネル部Ｐ１−Ｌ、中央操作パネル部Ｐ１−Ｍ、及び右側操作パネル部Ｐ１−Ｒで成る。中央操作パネル部Ｐ１−Ｍ内には、中央操作パネル部Ｐ１−Ｍとは別体で構成される（詳細は後述する）集中操作パネル部Ｐ２が設けられ、集中操作パネル部Ｐ２の後部には、表示付き操作パネル部Ｐ３が連接して連結固定される。
【００２０】
集中操作パネル部Ｐ２は平面的に配置されるが、表示付き操作パネル部Ｐ３は、集中操作パネル部Ｐ２との連結部から斜め後方に起き、立体的に配置される。表示付き操作パネル部Ｐ３の上部にも相当する後部には、さらにメータパネル部Ｐ４が連接して設けられる。
【００２１】
全体操作パネル部Ｐ１においては、操作領域が複数に分割されている。すなわち、左側操作パネル部Ｐ１−Ｌには操作領域ｒＡ、ｒＢ、ｒＣ、ｒＤが設けられ、右側操作パネル部Ｐ１−Ｒには操作領域ｒＥ、ｒＦが設けられ、中央操作パネル部Ｐ１−Ｍには操作領域ｒＧ、ｒＨが設けられている。集中操作パネル部Ｐ２は、左右方向における操作領域ｒＧ、ｒＨ間に位置している。
【００２２】
図２は、集中操作パネル部Ｐ２及び表示付き操作パネル部Ｐ３の平面図である。図１、図２に示すように、集中操作パネル部Ｐ２の左右方向略中央には、汎用操作領域ｒＺが設けられ、右側の前部には、操作領域の１つである選択領域ｒＳＬＣが設けられる。
【００２３】
信号処理装置１は、例えば４８チャンネルの信号を扱うことができ、全体操作パネル部Ｐ１の操作領域ｒＡ〜ｒＦ及び集中操作パネル部Ｐ２の汎用操作領域ｒＺには、対応する入力チャンネルのパラメータを制御するための複数のチャンネルストリップ３８（３８−１〜３８−８）が設けられる。例えば、図１に示すように、操作領域ｒＡには、８個の入力チャンネルストリップが設けられ、その各チャンネルストリップは、押下型の複数のスイッチと、電動で且つスライド式のフェーダ操作子等の操作子群を有する。操作領域ｒＡに設けられる８チャンネル分の操作子群を「ｓＡ」と記す。操作領域ｒＢ〜ｒＦについても操作領域ｒＡと同様であり、操作領域ｒＢ〜ｒＦには、それぞれ操作子群ｓＢ〜ｓＦが設けられる。
【００２４】
また、中央操作パネル部Ｐ１−Ｍの操作領域ｒＧには、ステレオ操作のための４つのチャンネルストリップが設けられ、操作領域ｒＨには、出力チャンネルのパラメータを制御するための２つのチャンネルストリップが設けられ、これら各チャンネルストリップには、操作子群ｓＡの１つの入力チャンネルストリップに対応する操作子群と同じ構造のものが設けられている。チャンネルストリップ３８には、操作子群ｓＡと同様に配置されて構成も同一である汎用操作子群ｓＺが設けられる。汎用操作領域ｒＺのチャンネルストリップ３８は、操作領域ｒＡ〜ｒＨから選択された１つの操作領域における入力チャンネルストリップ（８個または４個または２個）と対応することになる。
【００２５】
集中操作パネル部Ｐ２の選択領域ｒＳＬＣには、後述する選択操作子群ｓＳＬＣが設けられている。また、選択領域ｒＳＬＣの後方には、その他の操作子群ｓ（Ｐ２）が設けられている。
【００２６】
表示付き操作パネル部Ｐ３には、液晶表示装置等で成る表示器６１が設けられ、表示器６１の左方には操作子群ｓ（Ｐ３）が設けられる。表示器６１には、ミキサの設定の参照、変更、保存等を行うための画面や装置の動作状態等が表示され、例えば、現在、汎用操作子群ｓＺに対応している入力チャンネルのパラメータの設定状態等を示す各種情報が表示される。メータパネル部Ｐ４は、８チャンネルに対応した不図示のＬＥＤ群を有し、入力レベル等の各種レベル情報を表示する。
【００２７】
図３（ａ）は、全体操作パネル部Ｐ１の操作領域の分割態様を平面的且つ概略的に示す模式図である。図３（ｂ）は、選択領域ｒＳＬＣの詳細平面図である。
【００２８】
上述した操作領域の分割により、図３（ａ）に示すように、操作子群ｓＡ〜ｓＤが左側操作パネル部Ｐ１−Ｌに、操作子群ｓＧ、ｓＨが中央操作パネル部Ｐ１−Ｍに、操作子群ｓＥ、ｓＦが右側操作パネル部Ｐ１−Ｒに、それぞれ配置される。汎用操作子群ｓＺ、選択操作子群ｓＳＬＣ及び操作子群ｓ（Ｐ２）は集中操作パネル部Ｐ２に配置される。操作子群ｓ（Ｐ３）は表示器６１と共に表示付き操作パネル部Ｐ３に配置される。
【００２９】
操作子群等を、機能別に分類する場合は、セクションで称する。すなわち、図３（ａ）に示すように、操作子群ｓＡ〜ｓＤ及び操作子群ｓＧが左セクションｓｅｃＬに属する。集中操作パネル部Ｐ２、表示付き操作パネル部Ｐ３及びメータパネル部Ｐ４が、中央セクションｓｅｃＭに属する。また、操作子群ｓＥ、ｓＦ及び操作子群ｓＨが、右セクションｓｅｃＲに属する。
【００３０】
詳細は後述するが、図３（ｂ）に示すように、選択領域ｒＳＬＣにおいては、集中操作パネル部Ｐ２の透孔２１、２２（いずれも後述）から、中央操作パネル部Ｐ１−Ｍの表面の一部がメガネ状に露出して見えており、この領域を特に、「特定領域ｒＳＬＣａ」と記す。選択領域ｒＳＬＣの選択操作子群ｓＳＬＣは、１２個の操作子ｓｗ（ｓｗＡ〜ｓｗＬ）で成る。このうち特定領域ｒＳＬＣａに属するものが、操作子ｓｗＡ〜ｓｗＨである。
【００３１】
操作子ｓｗＡ〜ｓｗＤ、ｓｗＧは、中央操作パネル部Ｐ１−Ｍの透孔４１〜４５（後述）及び集中操作パネル部Ｐ２の透孔２１（後述）を貫通して上方に突出している。操作子ｓｗＥ、ｓｗＦ、ｓｗＨは、中央操作パネル部Ｐ１−Ｍの透孔４６〜４８及び集中操作パネル部Ｐ２の透孔２２（後述）を貫通して上方に突出している。また、操作子ｓｗＩ〜ｓｗＬは、中央操作パネル部Ｐ１−Ｍの透孔４９及び集中操作パネル部Ｐ２の透孔２３〜２６（後述）を貫通して上方に突出している。
【００３２】
選択操作子群ｓＳＬＣは、全体操作パネル部Ｐ１の操作領域ｒＡ〜ｒＨのうち、その機能を汎用操作領域ｒＺの汎用操作子群ｓＺに割り当てるべきものを選択する機能、及び出力系の機能という、特別な機能を有する。操作子ｓｗＡ〜ｓｗＨと操作領域ｒＡ〜ｒＨとは対応しており、操作領域ｒＡ〜ｒＨの選択は、操作子ｓｗＡ〜ｓｗＨのいずれかをオンすることで、操作領域ｒＡ〜ｒＨのうち対応するもの（例えば、操作子ｓｗＡがオンならば操作領域ｒＡ）が選択状態とされる。また、一旦割り当て状態となった操作領域の割り当てを解除するには、対応していない他の操作子ｓｗをオンして割り当てを変更すればよく、また、当該操作領域に対応する操作子ｓｗを再度オンすることで単独でも割り当て解除ができる。これらの処理は、図８を用いて後述する。
【００３３】
例えば、操作領域ｒＡが選択されたとすると、操作領域ｒＡの８つのチャンネルストリップの機能が汎用操作領域ｒＺの８つのチャンネルストリップ３８に各々割り当てられ、汎用操作領域ｒＺのチャンネルストリップ３８の各操作子を操作することで、操作子群ｓＡの対応するチャンネルストリップの操作子を各々操作したのと同じ処理を信号処理装置１に行わせることができる。また、それと同時に、表示器６１においても、操作領域ｒＡの各チャンネルストリップに対応するパラメータの設定状態等が表示される。ちなみに、選択状態とされた操作領域ｒＡの操作子群ｓＡの個々を手動で操作すると、その操作に応じて、汎用操作領域ｒＺの対応するチャンネルストリップ３８の各操作子も電動で動くようになっている。
【００３４】
なお、図１に示すように、操作領域ｒＧには、チャンネルストリップが４個しかないので、操作領域ｒＧが選択された場合は、操作領域ｒＧの４個のチャンネルストリップが、汎用操作領域ｒＺのうち所定の４個のチャンネルストリップ３８（例えば、チャンネルストリップ３８−１〜３８−４）に割り当てられ、残りのチャンネルストリップ３８（３８−５〜３８−８）は無効とされる。同様に、操作領域ｒＨが選択された場合は、操作領域ｒＨの２個のチャンネルストリップが、汎用操作領域ｒＺのうち所定の２個のチャンネルストリップ３８（例えば、チャンネルストリップ３８−１、３８−２）に割り当てられ、残りのチャンネルストリップ３８は無効とされる。
【００３５】
一方、選択操作子群ｓＳＬＣ中の操作子ｓｗＩ〜ｓｗＬは、操作子ｓｗＡ〜ｓｗＨとは別の、出力系の機能を有する。すなわち、操作子ｓｗＩは、マトリクス操作子の機能、操作子ｓｗＪ、ｓｗＫはＭＩＸ操作子の機能、操作子ｓｗＬはdigital controlled amplifierの機能をそれぞれ有する。
【００３６】
操作領域ｒＡ〜ｒＨと操作子ｓｗＡ〜ｓｗＨとは、配置的にも対応している。すなわち、図３（ａ）、（ｂ）を対比してわかるように、平面的な相互配置は、両者とも同じであり、操作子ｓｗＡ〜ｓｗＨの配置が、いわば、操作領域ｒＡ〜ｒＨの縮図のようになっている。これにより、操作領域ｒＡ〜ｒＨのうち所望の操作領域を汎用操作領域ｒＺに割り当てる際に、操作子ｓｗＡ〜ｓｗＨのうちどれをオンすればよいかが視覚的に把握しやすく、容易に正確な割り当て操作ができる。
【００３７】
ところで、上述のように、集中操作パネル部Ｐ２は、中央操作パネル部Ｐ１−Ｍとは別体で構成される。また、全体操作パネル部Ｐ１の表面は、黒色等の濃い色で塗られている。一方、集中操作パネル部Ｐ２及び表示付き操作パネル部Ｐ３の各表面は、銀色等の暖色系の色で塗られており、全体操作パネル部Ｐ１とのコントラストが明確になっている。さらに、図２に示すように、集中操作パネル部Ｐ２と中央操作パネル部Ｐ１−Ｍとは仕切り線２７、２８で仕切られている。立体配置されている表示付き操作パネル部Ｐ３の左右両側面６２、６３は、仕切り線２７、２８の延長線上に位置し、集中操作パネル部Ｐ２及び表示付き操作パネル部Ｐ３が、中央操作パネル部Ｐ１−Ｍから、視覚上明確に区別されるようになっている。
【００３８】
また、図２に示すように、汎用操作領域ｒＺにおいて、８個のチャンネルストリップ３８の両側、及び隣接するチャンネルストリップ３８間には、仕切り線２９が付されている。しかも、表示器６１において、各チャンネルストリップ３８に対応している入力チャンネルのパラメータの設定状態等が表示されている場合に、複数の仕切り線６４が表示される。これら複数の仕切り線６４は、仕切り線２９の各々の延長上に位置し、両者間の対応するもの同士が一直線上に位置する。これにより、チャンネルストリップ３８と表示器６１内の各チャンネルストリップ３８に対応する表示との対応関係が明確に視認できるようになっている。
【００３９】
このように、操作パネル部の表面の色分けを行ったこと、左右両側面６２、６３と仕切り線２７、２８とを一直線上に位置させたこと、及び、仕切り線２９、６４を一直線上に位置させたことは、操作パネル部乃至操作子群の視覚的な識別を容易にするために工夫された処理であり、これらの処理を本実施の形態において「視覚的処理」と総称する。
【００４０】
すなわち、「視覚的処理」は、集中操作パネル部Ｐ２及び表示付き操作パネル部Ｐ３が互いに関連が深いものと認識させ、且つ、これらを、全体操作パネル部Ｐ１（乃至中央操作パネル部Ｐ１−Ｍ）に対して容易に且つ明確に区別して認識させることができると共に、チャンネルストリップ３８と表示器６１内の対応表示との関係を明確に視認させるための処理である。
【００４１】
これらのことから、「視覚的処理」には、後述する段差等の形状的な処理を含めてもよいし、色分けも、見分けが付きやすければよく、上記の例示に限定されない。さらには、「視覚的処理」には、柄、模様、ザラツキ感等の質感等、視覚的なあらゆる要素を含めてもよい。
【００４２】
ところで、集中操作パネル部Ｐ２の選択領域ｒＳＬＣの選択操作子群ｓＳＬＣは、上述のように、特別な機能を有する操作子群であって、概念的に、集中操作パネル部Ｐ２よりもむしろ全体操作パネル部Ｐ１との関連が深い。そのため、特に、特定領域ｒＳＬＣａの表面（選択操作子ｓｗＡ〜ｓｗＨ自身を除く部分）については、集中操作パネル部Ｐ２内の他の領域とは異なり、全体操作パネル部Ｐ１の表面の色である黒色等の濃い色が視認されるようになっている。このような処理も、上記「視覚的処理」に含まれる。
【００４３】
図４は、中央操作パネル部Ｐ１−Ｍのパネル板の平面図である。図５は、集中操作パネル部Ｐ２のパネル板の平面図である。図６（ａ）は、図３（ｂ）のＶＩ−ＶＩ線に沿う簡略化した部分断面図である。図６（ｂ）は、各種操作子群の高さ関係を示す模式図である。
【００４４】
図４に示すように、中央操作パネル部Ｐ１−Ｍは、金属板等で構成されるパネル板４０と、基板５０、５３、５５等を含んで成り、パネル板４０が、その周縁に設けられた複数の取り付け穴５８にて、信号処理装置１の不図示のベース台に螺着固定される。一方、集中操作パネル部Ｐ２は、図５に示すように、金属板等で構成されるパネル板３０と、基板３２等を含んで成り、パネル板３０が、その周縁に設けられた複数の取り付け穴３４にて、パネル板４０に螺着固定される。
【００４５】
図４に示すように、パネル板４０には、上記した透孔４１〜４９、取り付け穴５８のほか、表示付き操作パネル部Ｐ３の取り付け用の大穴５２、集中操作パネル部Ｐ２の基板対応大穴５７が設けられる。表示付き操作パネル部Ｐ３は、大穴５２に取り付けられる不図示の取り付け部材を介して、パネル板４０に固定される。
【００４６】
透孔４１〜４９は、上記選択領域ｒＳＬＣに対応するパネル板４０の領域に設けられる。「透孔４１〜４５」、「透孔４６〜４８」、及び「透孔４９」は、それぞれ「操作子ｓｗＡ〜ｓｗＤ、ｓｗＧ」、「操作子ｓｗＥ、ｓｗＦ、ｓｗＨ」、及び「操作子ｓｗＩ〜ｓｗＬ」に対応して形成されている。
【００４７】
基板５０は、選択領域ｒＳＬＣに対応する位置において、パネル板４０の下方に配置される。当該位置において、パネル板４０の下面には、基板取り付け用の複数のボス５１（図６（ａ）も参照）がスポット溶接等で設けられ、これら複数のボス５１によって基板５０がパネル板４０に対して所定の間隔を保って固定される。
【００４８】
また、基板５５、５３は、それぞれ操作領域ｒＧ、ｒＨに対応する位置において、それぞれの複数のボス５６、５４（図６（ａ）も参照）によって、パネル板４０に対して所定の間隔を保って固定される。パネル板４０の操作領域ｒＧ、ｒＨに対応する位置には、さらに、それぞれ操作子群ｓＧ、ｓＨが貫通するための対応する複数の透孔が設けられている。
【００４９】
図５に示すように、パネル板３０には、上記した透孔２１〜２６（以下、これらを総称して「透孔群２０」とも称する）、取り付け穴３４のほか、汎用操作領域ｒＺに対応する位置に、汎用操作子群ｓＺが貫通するための透孔３５、３９等の複数の透孔が設けられる。また、操作子群ｓ（Ｐ２）に対応する位置に、操作子群ｓ（Ｐ２）が貫通するための透孔３６、３７等の複数の透孔が設けられる。
【００５０】
透孔２１〜２６は、上記選択領域ｒＳＬＣに対応するパネル板３０の領域に設けられる。透孔２１、透孔２２、及び透孔２３〜２６は、それぞれ操作子ｓｗＡ〜ｓｗＤ、ｓｗＧ、操作子ｓｗＥ、ｓｗＦ、ｓｗＨ、及び操作子ｓｗＩ〜ｓｗＬに対応して形成されている。基板３２は、汎用操作領域ｒＺの後半部と操作子群ｓ（Ｐ２）とに対応する位置において、複数のボス３３（図６（ａ）も参照）によって、パネル板３０に対して所定の間隔を保って固定される。
【００５１】
図６（ａ）に一部を示すように、選択操作子群ｓＳＬＣのすべて、すなわち、操作子ｓｗＡ〜ｓｗＬは、基板５０に対して押下操作可能に固定される。そして、上述したように、操作子ｓｗＡは、パネル板４０の対応する透孔４１及びパネル板３０の対応する透孔２１を貫通して上方に突出し、その上端が露出している。これと同様に、操作子ｓｗＢ〜ｓｗＬも、それぞれパネル板３０、４０の対応する各透孔を貫通し、各上端が露出している（図３参照）。また、図６（ａ）には図示しないが、基板５３には、操作子群ｓＨの一部（フェーダ操作子群を除くもの）が押下操作可能に固定され、基板５５には、操作子群ｓＧの一部（フェーダ操作子群を除くもの）が押下操作可能に固定されて、それぞれパネル板３０の対応する透孔から上端が露出している。
【００５２】
図３（ｂ）、図６（ａ）に示すように、選択領域ｒＳＬＣにおいて、パネル板３０に設けられた透孔２１、２２の間には、前後方向に沿ったパネル板３０の肉であるブリッジ部３０ａが橋渡しする形で存在して、透孔２１、２２が平面視メガネ状を呈する。操作子ｓｗＩ〜ｓｗＬは、ブリッジ部３０ａにおいて前後方向に整列している。このブリッジ部３０ａにより、選択領域ｒＳＬＣにおいて、パネル板３０の剛性が弱まることが抑制されている。
【００５３】
操作子群の高さ関係は次のようになっている。まず、基板５０よりも、基板５３が上方に位置し、基板３２が基板５３よりやや上方に位置する（図６（ａ）、（ｂ）参照）。基板５５は、基板５３と同じ高さに位置する（図６（ｂ）参照）。また、パネル板３０は、パネル板４０の上に当接して配置される。従って、パネル板３０の上面位置はパネル板４０の上面位置に対して、パネル板３０の厚みｔ分だけ高い。
【００５４】
選択操作子群ｓＳＬＣ（ｓｗＡ〜ｓｗＬ）及び操作子群ｓ（Ｐ２）の上面位置は、操作子群ｓＧ、ｓＨの上面位置と同一であり、パネル板４０の上面位置に対して突出高さｈ１だけ高い。また、汎用操作子群ｓＺ及び選択操作子群ｓＳＬＣの上面位置は、操作子群ｓ（Ｐ２）、ｓＧ、ｓＨの上面位置よりｈ０だけ高く、ｈ０は、上記厚みｔと同じ値である。ここで、図６（ｂ）中の「ｓＺ」、「ｓＧ」、「ｓＨ」に限っては、汎用操作子群ｓＺ、ｓＧ、ｓＨのうちフェーダ操作子を含まないものとする。ただし、汎用操作子群ｓＺ、ｓＧ、ｓＨのフェーダ操作子の上端位置も、フェーダ操作子以外の操作子群の上面位置と同じである。ちなみに、操作子群ｓＡ〜ｓＦについても、各々の操作子の上面位置は、選択操作子群ｓＳＬＣ、ｓ（Ｐ２）、ｓＧ、ｓＨと同じである。
【００５５】
このような設定により、特に、中央操作パネル部Ｐ１−Ｍ及び集中操作パネル部Ｐ２上の操作子群に着目すると、上面位置は、汎用操作子群ｓＺのみが他の操作子群よりｈ０だけ高いことになる。特に、中央操作パネル部Ｐ１−Ｍに固定される集中操作パネル部Ｐ２内に位置する選択操作子群ｓＳＬＣの上面が、汎用操作子群ｓＺの上面より１段下がり、中央操作パネル部Ｐ１−Ｍに位置する操作子群ｓＧ、ｓＨと同高になっている。
【００５６】
このことを、図６（ｂ）の記号を用いて数式で表すと、ｈ１＝（ｈ１＋ｈ０）−ｔ１となる。つまり、上記式の左辺のｈ１が、パネル板４０の上面４０ａからの選択操作子群ｓＳＬＣの突出高さであり、右辺の「（ｈ１＋ｈ０）」が、パネル板４０の上面４０ａからの汎用操作子群ｓＺの突出高さである。右辺の「（ｈ１＋ｈ０）−ｔ１」は、パネル板３０の上面からの汎用操作子群ｓＺの突出高さである。このようにしたことで、集中操作パネル部Ｐ２上において、選択操作子群ｓＳＬＣが、汎用操作子群ｓＺ及び操作子群ｓ（Ｐ２）から一層明確に区別して視認され、特別なものとして把握されやすい。しかも、選択操作子群ｓＳＬＣが、集中操作パネル部Ｐ２内に位置しながらも、中央操作パネル部Ｐ１−Ｍに関連が強いことを意識させることができる。
【００５７】
特に、上記した、特定領域ｒＳＬＣａの表面が、全体操作パネル部Ｐ１と同一色であって、且つ、集中操作パネル部Ｐ２の表面よりもパネル板３０の厚みｔ分だけ低く、段差状になっていることとも相まって、特に、ｓｗＡ〜ｓｗＨの一層の識別効果が発揮される。このような、段差を設けたことによる識別効果も、上記の「視覚的処理」の１つである。
【００５８】
次に、図７及び図８を用いて、信号処理装置１の制御機構及び選択操作子群ｓＳＬＣにより汎用操作子群ｓＺへ機能を割り当てる等の選択操作子処理を説明する。
【００５９】
図７は、信号処理装置１の制御機構の構成を示すブロック図である。
【００６０】
信号処理装置１は、ＣＰＵ１１に、システムバス１０を介して、上記表示器６１のほか、電動フェーダ部１５、操作子部１６、波形Ｉ／Ｏ１７、信号処理部（ＤＳＰ：デジタル・シグナル・プロセッサ）１８、フラッシュメモリ１２、ＲＡＭ１３及びその他Ｉ／Ｏ１４が接続されて構成される。電動フェーダ部１５は、上述したフェーダ操作子群で成り、不図示のモータにより駆動可能に構成され、手動操作の他、ＣＰＵ１１からの指示によっても指定された位置に移動する。操作子部１６には、フェーダ操作子群を除く上述した各種の操作子群が含まれる。ＣＰＵ１１には、不図示のタイマが含まれる。
【００６１】
ＣＰＵ１１は、信号処理装置１全体の動作を統括制御する。ＣＰＵ１１は、フラッシュメモリ１２に記憶された所定のプログラムを実行することにより、電動フェーダ部１５や操作子群１６の操作を検出（スキャン）して、その操作に従った動作を実行したり、設定データに従ってＤＳＰ１８の動作、表示器６１の表示内容、電動フェーダ部１５の位置等を制御したりする。フラッシュメモリ１２は、ＣＰＵ１１が実行する制御プログラム等を記憶する。ＲＡＭ１３は、ミキサの設定データ等の一時的に必要なデータを記憶し、ＣＰＵ１１のワークエリアとしても利用される。例えば、ＣＰＵ１１は、所定の処理でプログラムによってプリセットされたいくつかのシーンに対応した操作子データを読み出す処理や、そのシーンに対応した各フェーダ操作子の配置等を再現する。ＣＰＵ１１は、この他、全体操作パネル部Ｐ１の操作領域ｒＡ〜ｒＨの機能を汎用操作領域ｒＺの汎用操作子群ｓＺに選択的に割り当てる処理も実行する。その他Ｉ／Ｏ１４は、各種の外部機器との間で情報の入出力を行う。
【００６２】
図８は、選択操作子処理のフローチャートである。本処理は、信号処理装置１の電源オン状態においてタイマ処理により一定間隔でＣＰＵ１１により実行される。
【００６３】
本処理において、「０」または「１」のいずれかの値をとるフラグｆ（ｆＡ〜ｆＬ）が用いられ、これらフラグｆＡ〜ｆＬは、ＲＡＭ１３に記憶される。フラグｆＡ、ｆＢ・・・ｆＨは、「１」であるとき、それぞれ操作領域ｒＡ、ｒＢ・・・ｒＨを汎用操作領域ｒＺに割り当てることを示す。また、フラグｆＩ、ｆＪ、ｆＫ、ｆＬは、「１」であるとき、それぞれに対応する「その他の処理」を実行することを示す。
【００６４】
まず、上記フラグｆのリセット等の初期化を行い（ステップＳ１０１）、操作子スキャン、すなわち、信号処理装置１の全操作子の操作状態を検出して（ステップＳ１０２）、選択操作子群ｓＳＬＣにおける操作子ｓｗＡ〜ｓｗＬのいずれかのオンイベントがあったか否かを判別する（ステップＳ１０３）。
【００６５】
その判別の結果、操作子ｓｗＡ〜ｓｗＬのいずれのオンイベントもない場合は、その他の処理を実行して（ステップＳ１０５）、前記ステップＳ１０２に戻る一方、いずれかのオンイベントがあった場合は、オンされた操作子ｓｗに対応する処理を、ステップＳ１０４Ａ〜ｓ１０４Ｉで実行する。
【００６６】
例えば、ステップＳ１０４Ａは、ステップＳ１１１〜Ｓ１１５で成る。すなわち、まず、操作子ｓｗＡがオンされた場合は、フラグｆＡを０と１との間で反転させ（ステップＳ１１１）、フラグｆＡ以外のフラグｆ（ここではフラグｆＢ〜ｆＬ）をリセット（０に設定）する（ステップＳ１１２）。
【００６７】
次に、ｆＡ＝１であるか否かを判別し（ステップＳ１１３）、ｆＡ＝１である場合は、操作領域ｒＡが割り当てされていない状態で操作子ｓｗＡがオンされた場合であるので、操作領域ｒＡを新たに汎用操作領域ｒＺに割り当てる（ステップＳ１１４）。このとき、他の操作領域が割り当て状態にあった場合は、その操作領域の割り当てが解除され、その操作領域に代わって操作領域ｒＡが割り当て状態とされることになる。これにより、汎用操作領域ｒＺの操作によっても、操作領域ｒＡの操作子群ｓＡの機能を行わせることができるようになる。
【００６８】
一方、ｆＡ＝１でない場合は、操作領域ｒＡが割り当てされていた状態で操作子ｓｗＡがオンされた場合であるので、操作領域ｒＡの汎用操作領域ｒＺに対する割り当てを解除する（ステップＳ１１５）。この場合、割り当て状態の操作領域がなくなることになる。ステップＳ１１４、Ｓ１１５の処理後は本処理を終了する。
【００６９】
前記ステップＳ１０３の判別の結果、操作子ｓｗＢがオンされた場合は、前記ステップＳ１０４Ａで操作領域ｒＡに関して実行したのと同様の処理を、操作領域ｒＢに対して実行する（ステップＳ１０４Ｂ）。操作子ｓｗＣ〜ｓｗＨがオンされた場合も同様に、前記ステップＳ１０４Ａと同様の処理を操作領域ｒＣ〜ｒＨに対して実行する（ステップＳ１０４Ｃ〜Ｓ１０４Ｈ）。なお、ステップＳ１０４Ｃ〜Ｓ１０４Ｇについては図示が省略されている。
【００７０】
また、前記ステップＳ１０３の判別の結果、操作子ｓｗＩ〜ｓｗＬのいずれかがオンされた場合は、その他の処理、例えば、操作された操作子ｓｗＩ〜ｓｗＬに対応して、上述したような出力系の機能を実行し（ステップＳ１０４Ｉ）、本処理を終了する。なお、このステップＳ１０４Ｉは、便宜上、別々に記載すべきステップを１ステップにまとめて表示したものである。
【００７１】
本実施の形態によれば、中央操作パネル部Ｐ１−Ｍに固定された選択操作子群ｓＳＬＣが、集中操作パネル部Ｐ２に設けられた透孔群２０から突出しているので、集中操作パネル部Ｐ２において、選択操作子群ｓＳＬＣを、集中操作パネル部Ｐ２に配置された他の操作子群である汎用操作領域ｒＺ及び操作子群ｓ（Ｐ２）から容易に且つ明確に区別して認識させることができる。
【００７２】
しかも、選択操作子群ｓＳＬＣの上面位置は、パネル板３０とパネル板４０との高さの差分（厚みｔ）だけ、汎用操作子群ｓＺ及び操作子群ｓ（Ｐ２）の上面位置より低いので、選択操作子群ｓＳＬＣを、汎用操作子群ｓＺ及び操作子群ｓ（Ｐ２）から明確に区別することができる。
【００７３】
さらに、選択操作子群ｓＳＬＣは、操作子群ｓＧ、ｓＨと共に、パネル板４０の上面から同じ突出高さｈ１だけ突出していて、且つ、汎用操作子群ｓＺよりもｈ０だけ低い。従って、選択操作子群ｓＳＬＣが集中操作パネル部Ｐ２内に位置しながらも、中央操作パネル部Ｐ１−Ｍに関連が強いことを意識させることができる。
【００７４】
本実施の形態によればまた、集中操作パネル部Ｐ２と表示付き操作パネル部Ｐ３とには、全体操作パネル部Ｐ１乃至中央操作パネル部Ｐ１−Ｍから区別するための共通の視覚的処理が施された。すなわち、集中操作パネル部Ｐ２の表面及び表示付き操作パネル部Ｐ３の表面（表示器６１を除く表面）の色彩を全体操作パネル部Ｐ１乃至中央操作パネル部Ｐ１−Ｍとは異ならせると共に、仕切り線２７、２８を左右両側面６２、６３に対して一直線上に設けた。これにより、集中操作パネル部Ｐ２と表示付き操作パネル部Ｐ３とを互いに関連が深いものと認識させ、且つ、これらを全体操作パネル部Ｐ１乃至中央操作パネル部Ｐ１−Ｍに対して容易に且つ明確に区別して認識させることができる。
【００７５】
さらに、操作子ｓｗＡ〜ｓｗＨの相互配置を、操作領域ｒＡ〜ｒＨの相互配置に対して縮図のように対応させ、しかも、透孔２１、２２をくり抜いたパネル板３０をパネル板４０の上に重ねることで特定領域ｒＳＬＣａを露出させて、特定領域ｒＳＬＣａを全体操作パネル部Ｐ１と同一色にするという視覚的処理を施したので、操作子ｓｗＡ〜ｓｗＨと操作子群ｓＡ〜ｓＨとの対応関係を容易に認識させ、操作領域ｒＡ〜ｒＨの汎用操作領域ｒＺに対する割り当て操作を、正確に且つ迅速に行わせることができる。
【００７６】
また、パネル板３０がパネル板４０の上に重ねられるので、パネル板４０の表面のうち、パネル板３０に隠れる部分については、表面の処理が粗かったり、溶接跡等があったりしても、見栄え上問題がないことから、パネル板４０の構成を簡単にすることができる。
【００７７】
なお、本実施の形態において、集中操作パネル部Ｐ２内に位置しながらも中央操作パネル部Ｐ１−Ｍに固定された操作子群として、割り当て操作子群を選択する機能等を有する選択操作子群ｓＳＬＣを例示したが、これに限るものではない。例えば、集中操作パネル部Ｐ２内において特別な機能を有する操作子群であれば、本発明を適用するのに好適である。
【００７８】
なお、集中操作パネル部Ｐ２の種類を複数種類設け、共通の全体操作パネル部Ｐ１に対して集中操作パネル部Ｐ２を選択的に組み合わせることで、信号処理装置の多機種化を低コストで実現することができる。その場合、例えば、全体操作パネル部Ｐ１のパネル板４０の基板対応大穴５７（図４参照）は、複数種類の集中操作パネル部に対応できるような形状に設定しておけばよい。
【００７９】
本実施の形態では、特定領域ｒＳＬＣａを、パネル板３０の表面から１段下げることでも、集中操作パネル部Ｐ２において、選択操作子群ｓＳＬＣが他の操作子群から視認しやすくなっているが、特別な操作子群を他の操作子群から明確に区別して認識できるようにする観点からは、このような１段階下げる構成に限られず、図９に示す変形例１のように、複数段階（例えば２段階）下げた構成であってもよい。
【００８０】
図９（ａ）は、本実施の形態の変形例１における集中操作パネル部の部分斜視図である。同図（ｂ）は、同図（ａ）のＩＸ−ＩＸ線に沿う断面図である。
【００８１】
同図（ａ）、（ｂ）に示すように、集中操作パネル部Ｐ２に相当する集中操作パネル部Ｐ１０２において、上記パネル板３０に相当するパネル板１３０が、上記パネル板４０に相当するパネル板１４０の上に重ねられる。パネル板１３０は、パネル板３０よりも全体が厚く、選択領域ｒＳＬＣに相当する特別領域ｒＳＬＣ２に対応する部分には、薄板部１３１が設けられて、薄板部１３１は、パネル板１３０の厚い部分から１段下がって段差状になっている。
【００８２】
基板５０に相当する基板１５０には、選択操作子群ｓＳＬＣに相当する操作子群１０１が操作可能に設けられ、基板１１０には、操作子群１０２が操作可能に設けられている。パネル板１３０の薄板部１３１には、１つの大きい透孔１３１ａと、操作子群１０２に対応する複数の小さい透孔１３１ｂが設けられ、操作子群１０１が透孔１３１ａを貫通して突出し、操作子群１０２が対応する透孔１３１ｂ貫通して突出している。
【００８３】
パネル板１４０の表面の一部は、透孔１３１ａから露出して見える露出面１４０ａとなっている。この露出面１４０ａと薄板部１３１の上面１３１ｃとが、上記特別領域ｒＳＬＣ２となっている。集中操作パネル部Ｐ１０２には、図示はしないが、これらのほか、上記した汎用操作領域ｒＺ、操作子群ｓ（Ｐ２）が設けられる。特別領域ｒＳＬＣ２の操作子群１０１及び操作子群１０２は、選択操作子群ｓＳＬＣと同様の機能を含み、汎用操作領域ｒＺ、操作子群ｓ（Ｐ２）とは異なる機能を有する。しかも、特別領域ｒＳＬＣ２中においても、操作子群１０１と操作子群１０２とは、互いに異なる機能を有する。
【００８４】
操作子群１０１の上面位置は、薄板部１３１の上面１３１ｃより低く、操作子群１０２の上面位置は、パネル板１３０の厚い部分の上面１３０ａより低い。汎用操作領域ｒＺ、操作子群ｓ（Ｐ２）の上面位置は、パネル板１３０の上面１３０ａより高い。
【００８５】
また、パネル板１３０とパネル板１４０とは、上記パネル板３０とパネル板４０との関係と同様に、色彩が異なっており、従って、露出面１４０ａの色は、上面１３０ａ及び上面１３１ｃとは異なっている。
【００８６】
このような構成において、まず、パネル板１３０において特別領域ｒＳＬＣ２が段差状に下がっているという視覚的処理により、特別領域ｒＳＬＣ２が、集中操作パネル部Ｐ１０２内の他の領域から明確に区別して認識される。また、特別領域ｒＳＬＣ２において露出面１４０ａが上面１３１ｃよりさらに１段下がっており、且つ上面１３０ａ及び上面１３１ｃとは色が異なっている。これらのような視覚的処理により、特別領域ｒＳＬＣ２中においても露出面１４０ａがさらに特別なものとして認識される。従って、特別領域ｒＳＬＣ２において、操作子群１０２、操作子群１０１が特別な操作子群であり、中でも操作子群１０１がさらに特別な操作子群であることが強く意識付けられ、正確な操作が容易となる。さらには、パネル板１３０は、パネル板３０に比し、厚い部分があるので、透孔１３１ａを有しながらも高い剛性を確保することができる。
【００８７】
なお、本実施の形態では、操作子ｓｗＡ〜ｓｗＨの相互配置を、操作領域ｒＡ〜ｒＨの相互配置に対して縮図のように対応させることで、対応関係が視覚的に容易に把握できるようにしたが、この観点からは、図１０に示す変形例２のように、操作領域ｒＡ〜ｒＨの平面形状と操作子ｓｗＡ〜ｓｗＨの平面形状とを対応させるのが好ましい。
【００８８】
図１０（ａ）は、本実施の形態の変形例２における全体操作パネル部の操作領域の分割態様を平面的に示す模式図である。同図（ｂ）は、変形例２における選択領域の平面図である。
【００８９】
同図（ａ）に示すように、操作領域ｒＡ〜ｒＨに相当する操作領域ｒＡ２〜ｒＨ２は、例えば、左上部が欠損した形状をなしており。好ましくは、各操作領域ｒＡ２〜ｒＨ２の外枠を示す枠線が所定の色で付されている。一方、同図（ｂ）に示すように、各操作領域ｒＡ２〜ｒＨ２に対応する、操作子ｓｗＡ〜ｓｗＨに相当する操作子ｓｗＡ２〜ｓｗＨ２は、その平面視形状が、対応する操作領域ｒＡ〜ｒＨの平面視形状と類似して対応している。
【００９０】
このように構成することで、操作領域ｒＡ２〜ｒＨ２と操作子ｓｗＡ２〜ｓｗＨ２との対応関係を一層容易に認識させることができる。
【００９１】
なお、操作領域ｒＡ２〜ｒＨ２と操作子ｓｗＡ２〜ｓｗＨ２の平面視形状同士は、相似とするのが一層望ましい。また、操作子ｓｗＡ２〜ｓｗＨ２の平面視形状を自由に設定できない場合は、操作子ｓｗＡ２〜ｓｗＨ２の上面に、操作領域ｒＡ２〜ｒＨ２の外枠と相似する絵柄を付してもよい。その場合は、上記外枠を示す枠線と同じ色で付すのが好ましい。
【００９２】
なお、操作子ｓｗＡ２〜ｓｗＨ２の平面視形状を上記のように設定すること、あるいは、上記絵柄を付すことも、上記した「視覚的処理」に含まれる。
【図面の簡単な説明】
【００９３】
【図１】本発明の一実施の形態に係る信号処理装置の外観斜視図である。
【図２】集中操作パネル部及び表示付き操作パネル部の平面図である。
【図３】全体操作パネル部の操作領域の分割態様を平面的且つ概略的に示す模式図（図（ａ））、及び選択領域の詳細平面図（図（ｂ））である。
【図４】中央操作パネル部のパネル板の平面図である。
【図５】集中操作パネル部のパネル板の平面図である。
【図６】図３（ｂ）のＶＩ−ＶＩ線に沿う簡略化した部分断面図（図（ａ））、及び各種操作子群の高さ関係を示す模式図（図（ｂ））である。
【図７】信号処理装置１の制御機構の構成を示すブロック図である。
【図８】選択操作子処理のフローチャートである。
【図９】本実施の形態の変形例１における集中操作パネル部の部分斜視図（図（ａ））、及び同図（ａ）のＩＸ−ＩＸ線に沿う断面図（図（ｂ））である。
【図１０】本実施の形態の変形例２における全体操作パネル部の操作領域の分割態様を平面的に示す模式図（図（ａ））、及び変形例２における選択領域の平面図（図（ｂ））である。
【符号の説明】
【００９４】
Ｐ１  全体操作パネル部、  Ｐ１−Ｍ  中央操作パネル部（第１操作パネル部）、  Ｐ２  集中操作パネル部（第２操作パネル部、部分操作パネル部）、  Ｐ３  表示付き操作パネル部（第３操作パネル部）、  ｒＳＬＣ  選択領域、  ｒＳＬＣａ  特定領域、  ｓＳＬＣ  選択操作子群（特別操作子群）、  ｓＳＬＣ、ｓｗＡ〜ｓｗＩ  選択操作子群（特別操作子群）、  ｓｗＡ〜ｓｗＨ  操作子（特定操作子群）、  ｒＺ  汎用操作領域、  ｓＺ  汎用操作子群（複数の操作子）、  ｒＡ〜ｒＨ  操作領域、  ｓＡ〜ｓＦ  操作子群、  ｓＧ、ｓＨ  操作子群（複数の操作子）、  ｓ（Ｐ２）  操作子群（複数の操作子）、  ２０  透孔群（複数の透孔）、  ｔ  厚み（高さの差分）、  ｈ１  突出高さ、  ２７、２８  仕切り線
【図１】
2006254188.tif 000003
【図２】
2006254188.tif 000004
【図３】
2006254188.tif 000005
【図４】
2006254188.tif 000006
【図５】
2006254188.tif 000007
【図６】
2006254188.tif 000008
【図７】
2006254188.tif 000009
【図８】
2006254188.tif 000010
【図９】
2006254188.tif 000011
【図１０】
2006254188.tif 000012